(57)【要約】【課題】火を消しても料理が続く鍋の構造を提供する。【解決手段】主一つの調理鍋と、一つの蓄熱器と一つの外鍋とから構成されている。前記料理鍋の底部の外側の中心に凹み部があり、その凹み部の中に伸縮できる固定パーツが設けられている。前記蓄熱器の中心位置に調理鍋の固定パーツと対応する連接パーツをペアーで設置されているため、調理鍋の蓄熱器は固定パーツと連接パーツの結合により加熱できる。なお、蓄熱器を調理鍋から外すとき、調理鍋の底部の凹み部があるため、調理鍋の底部は安定に電磁調理器の上に置いて調理ができる。【選択図】図２
0003131471.tif 000002
【実用新案登録請求の範囲】
【請求項１】
調理鍋と、蓄熱器と外鍋とを含む鍋の構造であって、前記調理鍋の底部の外側の中央に凹み部があり、前記凹み部の中に伸縮できる固定パーツが設けられ、前記蓄熱器の中央位置に調理鍋の固定パーツと対応する連接パーツが設けられ、調理鍋および蓄熱器は前記固定パーツおよび連接パーツの結合により、蓄熱器の蓄熱作業が働き加熱ができる一方、蓄熱器を調理鍋からはずす場合、調理鍋の底部に設置されている凹み部の設計のため、調理鍋の底部は電磁調理器の上に安定に置いて調理することができることを特徴とする鍋の構造。
【請求項２】
前記調理鍋の凹み部にある固定パーツの高さは、調理鍋の底部の平面と同じもしくは低く設定されていることを特徴とする請求項１に記載の鍋の構造。
【請求項３】
前記調理鍋の底部の外側に設置されている固定パーツはネジで、前記蓄熱器に設置されている連接パーツは固定孔のある柱状物で、前記ネジおよび固定孔の結合もしくは離脱により、調理鍋と蓄熱器の結合もしくは離脱ができることを特徴とする請求項１に記載の鍋の構造。
【請求項４】
前記調理鍋の底部の外側に設置されている固定パーツは固定孔のある柱状物で、前記蓄熱器に設置されている連接パーツはネジで、前記ネジおよび固定孔の結合もしくは離脱により、調理鍋と蓄熱器の結合もしくは離脱ができることを特徴とする請求項１に記載の鍋の構造。
【請求項５】
前記調理鍋の底部の外側に設置されている固定パーツはフック付の柱状物で、前記蓄熱器に設置されている連接パーツは嵌め合わせパーツであり、前記嵌め合わせパーツにはＬ字型のスライトレールを設けているため、前記柱状物を嵌め合わせパーツに嵌めると、前記フックはスライトレールの水平ゾーンと接続し固定し、もしくは離脱できる上に、調理鍋と蓄熱器の結合および離脱もできることを特徴とする請求項１に記載の鍋の構造。
【考案の詳細な説明】
【技術分野】
【０００１】
本考案は火を消しても料理が続く鍋の構造に係り、特に、密閉調理可能かつ電磁調理器の上に安定に置くことのできる圧力鍋の構造を指す。
【背景技術】
【０００２】
従来の火を消しても料理が続く鍋の構造は、図１が示しているように、調理鍋１一つ、蓄熱器２一つおよび外鍋３一つがある。その中の調理鍋１の底部に伸縮できるネジ１１がある一方、前記蓄熱器２にはネジ１１と対応する固定孔２１がある。前記調理鍋１のネジ１１を蓄熱器２の固定孔２１の中にとめ、一定の距離をおいてから固定すれば、前記蓄熱器２の蓄熱性により調理鍋１を加熱することができる。このような火を消しても料理が続く鍋構造には、前記料理鍋１の底部に伸縮できるネジ１１が設けられているため、蓄熱器２および外鍋３と合わせて使用することが可能である。但し、単独に料理鍋を電磁調理器に置くことが不能のため、調理鍋１の実用性を低下してしまったのである。出願者はこのことを配慮して、前記業務に従事する長年の経験に基づいて、数多くの研究および実験を重ねてから、改善構造を提出したからである。本考案を借りて、火を消しても料理が続く鍋構造の調理鍋は電磁調理器において料理できることと、圧力鍋の実用性を高めていこうと期する。
【考案の開示】
【考案が解決しようとする課題】
【０００３】
本考案の目的は、火を消しても料理が続く鍋の構造を提案することである。なお、火を消しても料理が続く鍋の調理鍋は閉密加熱ができるほかに、電磁調理器に安定に置くことができる。
【課題を解決するための手段】
【０００４】
前述の火を消しても料理が続く鍋の構造には、一つの調理鍋、一つの蓄熱器および一つの外鍋がある。前記調理鍋の底部の外側の中心に凹み部があり、その凹み部には伸縮できる固定パーツが設けられている。前記蓄熱器の中心位置に調理鍋の固定パーツと対応する連接パーツをペアーで設置されているため、調理鍋の蓄熱器は固定パーツと連接パーツの結合により増温加熱できる。なお、蓄熱器を調理鍋から外すとき、調理鍋の底部に凹み部があるため、調理鍋の底部形状は平たく、電磁調理器の上に置いて調理ができる。
【０００５】
前記の火を消しても料理が続く鍋の改良構造の調理鍋の底部に伸縮できるネジがある一方、前記蓄熱器に固定孔のある柱状の連接パーツを設置している。ネジと固定孔のとめはずしにより、調理鍋と蓄熱器の結合もしくは離脱ができる。
【０００６】
前述の火を消しても料理が続く鍋の改良構造の中には、調理鍋の底部の外側に設置されている固定パーツは、固定孔のある柱状物である。前記蓄熱器の連接パーツはネジであるため、ネジと固定孔のとめはずしにより、調理鍋と蓄熱器の結合もしくは離脱ができる。
【０００７】
上記の火を消しても料理が続く鍋の改良構造には、調理鍋の底部の外側に設置されている固定パーツはフック付の柱状物である。前記蓄熱器の連接パーツは嵌め合わせパーツであり、前記嵌め合わせパーツにＬ字型のスライトレールが設置されているため、柱状物は嵌め合わせパーツと嵌め合わせることができる上に、前記フックはスライトレールの水平ゾーンに固定することができ、もしくは、前記水平ゾーンからはずすことができる。これで、調理鍋と蓄熱器の結合もしくは離脱ができる。
【考案を実施するための最良の形態】
【０００８】
図２および図３を同時に参照する。本考案には調理鍋１一つ、蓄熱器２一つおよび外鍋３一つがある。その中に、前記調理鍋１の底部の外側の中心に凹み部１２があり、その凹み部１２の中に伸縮できる固定パーツ４が設けられている。前記固定パーツ４の高さを調理鍋１の底部平面の高さと同じくもしくは低く設定する。実施例１では、前記固定パーツ４はネジ４１であり、蓄熱器２の中心位置に調理鍋の固定パーツ４と対応する連接パーツ５をペアーで設置されている。実施例１では、前記連接パーツ５は固定孔５１のある柱状物５２である。
【０００９】
上記のパーツの結合により、つまり、調理鍋１および蓄熱器２は固定パーツ４と連接パーツ５の結合により〔ネジ４１と固定孔５１の結合）〕により、前記調理鍋１を外鍋３の中に置くとき、蓄熱器２の蓄熱作用で温度が上昇して過熱することができる。その上に、蓄熱器２が調理鍋１から離脱するとき〔ネジ４１と固定孔５１のはずしにより〕、調理鍋１の底部のある凹み部１２および前記固定パーツ４の高さが調理鍋の底部平面の高さと同じくもしくは低いため、調理鍋１の底部は電磁調理器の上に安定に置いて調理することが可能。これで、圧力鍋の実用性を高まることができる。
【００１０】
図４および図５を同時に参照する。本考案の第二実施例である。前記調理鍋１の底部の外側に設置されている固定パーツ４は、固定孔４２のある柱状物４３に設計されている一方、前記蓄熱器２の連接パーツ５は柱状物４３の固定孔４２と対応するネジ５３に設計されている。ネジ５３と固定孔４２のとめはずしにより、調理鍋１と蓄熱器２の結合および離脱が可能になる。
【００１１】
図６および図７を同時に参照する。本考案の第三実施例である。前記調理鍋１の底部の外側に設置されている固定パーツ４は柱状物４４で、前記柱状物４４には水平に伸縮できるフック４５がある。前記蓄熱器２に設置されている連接パーツ５は嵌め合わせパーツ５４に設計されているし、前記嵌めあわせパーツ５４の内側にＬ字型のスライトレール５５がある。前記柱状物４４を前記嵌めあわせパーツ５４に嵌め合わせることにより、フック４５はスライトレール５５に沿って滑り込み、スライトレール５５の水平ゾーンと接続して固定したり、はずしたりすることが可能。これで、調理鍋１と蓄熱器２の結合と離脱が可能になる。
【００１２】
図８および図９を同時に参照する。本考案の第四実施例である。前記調理鍋１の底部の外側に設置されている固定パーツ４は柱状物４で、前記柱状物４６には水平に伸縮できるフック４７がある。一方、前記蓄熱器２に設置されている連接パーツ５は嵌め合わせパーツ５６で、前記嵌め合わせパーツ５６にはＬ字型のレール５７がある。前記柱状物４６を嵌め合わせパーツ５６に嵌めることにより、フック４７はレール５７に沿って滑り込み、レール５７の水平ゾーンと接続して固定したりはずしたりすることが可能。これで、調理鍋１と蓄熱器２の結合および離脱が可能になる。なお、本考案の実施例５において、前記調理鍋１には嵌め合わせパーツ４８を設置することができる。前記嵌め合わせパーツ４８にレール４９が設けられている。一方、前記蓄熱器２にはそれと対応する柱状物５８およびフック５９を設置している。前記の例と同じく、フック５９がレール４９に沿ってすべり込み、レール４９の水平ゾーンと接続して固定したり外れたりすることが可能。これで、調理鍋１と蓄熱器２の結合および離脱が可能になる。
【００１３】
本考案はいかなる方法で固定パーツ４および連接パーツ５を構成していても、すべての方法は前記調理鍋１と蓄熱器２を結ばれることができる。その上に、前記調理鍋１を外鍋３の中に置くと、蓄熱器２の蓄熱作用により加熱することができる。また、蓄熱器２を調理鍋１からはずした後、調理鍋１の底部は電磁調理器の上に安定に置いて調理することが可能。
【００１４】
上記の内容をまとめると、本考案の凹み部付き調理鍋が前記凹み部と対応して設定された固定部および連接パーツのある蓄熱器とあわせて使用しているため、火を消しても料理が続く鍋は密閉加熱ができるほかに、電磁調理器の上に安定に置いて加熱することができる。実用性および新規性のある考案であるため、所定手続きにより出願申請を提出して審査を受ける。
【図面の簡単な説明】
【００１５】
【図１】火を消しても料理が続く鍋の立体構造図である。
【図２】本考案の第一実施例の立体分解図である。
【図３】本考案の第一実施例の火を消しても料理が続く鍋および蓄熱器の構造図である。
【図４】本考案の第二実施例の立体分解図である。
【図５】本考案の第二実施例の調理鍋および蓄熱器の構造図である。
【図６】本考案の第三実施例の立体分解図である。
【図７】本考案の第三実施例の調理鍋および蓄熱器の構造図である。
【図８】本考案の第四実施例の調理鍋および蓄熱器の構造図である。
【図９】本考案の第四実施例の調理鍋および蓄熱器の構造図である。
【符号の説明】
【００１６】
１    調理鍋
１１  ネジ
１２  凹み部
２    蓄熱器
２１  固定孔
３    外鍋
４    固定パーツ
４１  ネジ
４２  固定孔
４３  柱状物
４４  柱状物
４５  フック
５    連接パーツ
５１  固定孔
５２  柱状物
５３  ネジ
５４  嵌め合わせパーツ
５５  スライトレール
４６  柱状物
４７  フック
４８  嵌め合わせパーツ
４９  レール
５６  嵌め合わせパーツ
５７  レール
５８  柱状物
５９  フック
【図１】
0003131471.tif 000003
【図２】
0003131471.tif 000004
【図３】
0003131471.tif 000005
【図４】
0003131471.tif 000006
【図５】
0003131471.tif 000007
【図６】
0003131471.tif 000008
【図７】
0003131471.tif 000009
【図８】
0003131471.tif 000010
【図９】
0003131471.tif 000011